(57)【特許請求の範囲】
【請求項１】
コンクリート中に埋め込まれる埋込部と、コンクリートから露出する調整部とからなり、該調整部はクサビを差し込む開口部を有し、その両側部がクサビの差し込み程度で伸縮し調整部の高さを変化させる伸縮部となっていることを特徴とするコンクリート製品のレベル調整治具
【請求項２】
底面に、請求項１に記載のレベル調整具を、その前記埋込部を埋め込み、前記調整部を露出させて装着したことを特徴とするコンクリート製品
【発明の詳細な説明】
【０００１】
【発明の属する技術分野】
本発明は、コンクリート製品の下面に装着し、コンクリート製品を据え付ける際のレベル調整機能を果たすコンクリート製品のレベル調整治具に関する。
【０００２】
【従来の技術】
従来、コンクリート製品を据え付ける際のレベル調整の方法は、例えば、特公昭６２−４８０１８号公報、特開平４−３４１４３号公報などに示されている。前者に示されるものは、コンクリート製品の底面に雌ネジを有するナット状のインサートを埋設しておき、据え付けの際に、このインサートにボルト状の脚を螺着し、該脚を回転させて脚の突出長さを調整し、コンクリート製品のレベル調整を行うものである。後者に示されるのは、レベル調整スペーサーで、薄板状のスペーサーを適宜枚数コンクリート製品の下に敷き込んでレベル調整を行うものである。
【０００３】
【発明が解決しようとする課題】
上記のナット状のインサートとボルト状の脚を用いてレベル調整する方法は、▲１▼インサート及び脚のコストが高い、▲２▼コンクリート製品に埋設するインサートは内部に雌ネジを有するから、雌ネジにコンクリート屑等が付着しないように管理する必要がある、▲３▼レベル調製は脚を回転させて行うので作業が煩雑である、という課題がある。一方、後者のスペーサーを用いる場合は、何度もコンクリート製品を持ち上げてスペーサーを適宜枚数に達するまで入れ替えるので、▲１▼調整作業が煩雑である、ばかりか特に大型のコンクリート製品の場合には、▲２▼クレーンでコンクリート製品を何回か上げ下げしてスペーサーを調整するのでたいへん危険である、という課題がある。
【０００４】
本発明のレベル調整治具は、このような課題を解決するもので、これを用いることで、コンクリート製品への装着及び維持管理が容易で、かつ、レベル調整作業も能率的に安全に行うことができる。
【０００５】
【課題を解決するための手段】
本願の請求項１の発明は、コンクリート中に埋め込まれる埋込部と、コンクリートから露出する調整部とからなり、該調整部はクサビを差し込む開口部を有し、その両側部がクサビの差し込み程度で伸縮し調整部の高さを変化させる伸縮部となっていることを特徴とするコンクリート製品のレベル調整治具である。また本願の請求項２の発明は、底面に、請求項１に記載のレベル調整具を、その前記埋込部を埋め込み、前記調整部を露出させて装着したことを特徴とするコンクリート製品である。
【０００６】
本発明のレベル調整治具の材質は、プラスチック、金属等の通常用いられる材料でよいが、プラスチック等の弾性材を用いると、安価であるばかりでなく、コンクリート製品を運搬又はストックする際に積み重ねた場合、コンクリート製品を傷つけるおそれがない。
【０００７】
【実施の態様】
以下、実施例の図面を参照しつつ、本発明を詳細に説明する。図１は実施例のレベル調整治具１の使用状態の断面説明図、図２は同じく使用状態の説明図、図３はレベル調整治具１の装着説明図、図４はレベル調整治具を装着したコンクリート製品のストック状態の説明図、図５〜図７は他の実施例の斜視図である。
【０００８】
図１において、上段はクサビを打ち込む前の状態、下段はクサビを打ち込んでレベル調整が終了した状態を示し、左側と右側では方向の異なる断面を示している。図１に示すレベル調整治具１は、プラスチック製で、埋込部２及び調整部３とからなる。埋込部２は三角形状の突起２ａが形成され、引き抜きに対する抵抗となっている。調整部３はほぼ四角管状をなし、クサビを差し込むための開口部５が形成されており、その両側が半円弧状に迂回した伸縮部４となっている。
【０００９】
レベル調整治具１は、例えば図３に示すように、コンクリート製品Ｃの下面に装着される。図３の左側はＵ字形側溝ブロック、右側は可変勾配形側溝ブロックの場合で、いずれも上下反転した状態の型枠Ｋにコンクリートを流し込んで製造される。型枠Ｋにコンクリートを流し込み、上面（製品の底面に相当する）をコテ均しした後、そこにレベル調整治具１の埋設部２をコンクリート中に埋め込み調整部３を露出した状態で装着する。このままコンクリートが硬化すれば装着が完了する。
【００１０】
レベル調整治具１を装着したコンクリート製品Ｃは、図４に示すように積み重ねてストックされるが、ことのきレベル調整治具１は、コンクリート面同士が接触して変色するのを防止し、又、緩衝材としても作用するので、従来これらの目的に製品の間に挿入されていた台木が不要となる。
【００１１】
現場に運ばれたレベル調整治具１を装着したコンクリート製品Ｃは、治具１の開口部５にクサビ６の先端を挿入され、クレーンなどで据え付け場所に降ろされる。図１上段に示すのはこの状態である。しかる後、クサビをハンマー等で叩きながらレベル調整を行う。クサビが叩かれて開口部５に深く進入すると、伸縮部４が延び調整部３の高さが増し、コンクリート製品が上昇する。適宜量コンクリート製品が上昇してレベルが保たれれば、レベル調整作業は終了する。その後、必要に応じてコンクリート製品の底面と捨コンクリート７の間にモルタルなどを充填し固定する。
【００１２】
クサビ６は、図２左側に示すＵ字形側溝ブロックのように、原則としてコンクリート製品Ｃの外側からレベル調整治具１の開口部挿入されるが、同図右側に示す可変勾配形側溝ブロックのように、大型でかつ内部に大きな空間を有するコンクリート製品の場合には内側から挿入することも可能である。
【００１３】
本発明レベル調整治具の埋設部の形状は、コンクリートに埋設しやすく、引き抜け、破壊に対して充分な強度があればよく、実施例の形状に拘束されるものではない。また、調整部の全体形状、開口部及び伸縮部の形状も上記実施例に拘束されるものではなく、要するにクサビを開口部に深く進入させた場合に調整部の高さが増すように作用すればよいのである。
【００１４】
図５〜７には、調整部の異なる他の実施例を示している。これら実施例はいずれも埋込部の形状は上記実施例と同様の形状をしており（省略して表している）、調整部の形状のみが異なっている。図５のレベル調整治具１０は、埋込部１１と調整部１２からなる。調整部１２は開口部１４と伸縮部１３とを有する。伸縮部１３は他の部分よりも細く形成されており、クサビを開口部１４から深く進入させると、材料（プラスチック）の弾性により伸縮部１３が細長く変形し、その結果調整部１２の高さが増す。図６のレベル調整治具２０は、埋込部２１と調整部２２からなる。調整部２２は開口部２４と伸縮部２３とを有する。伸縮部２３はくの字形に折れ曲がった形状をしており、クサビを開口部２４から深く進入させると、弾性により伸縮部１３のくの字形が上下に長く変形し、その結果調整部１２の高さが増す。調整部２２の底面はリブ状に形成されているので、この治具を装着したコンクリート製品を積み重ねたときに摩擦が大きくなり、滑りを防ぐことができる。図７のレベル調整治具３０は、埋込部３１と調整部３２からなる。調整部３２は開口部３４と伸縮部３３とを有する。クサビを開口部３４から深く進入させると、弾性により開口部３４の側方の半円形の部材が上下に長く変形して調整部の高さが増し、さらにクサビを深く侵入させると、底面のスリット３５の幅が広がり、弾性により開口部３４の底部の部材が次第に側方へと移動し、更に調整部の高さが増す。従って、本実施例における伸縮部３３は、開口部の側方及び底部の部材全体であるといえる。
【００１５】
本発明は、実施例で説明した側溝ブロックに限らず、ボックスカルバート、マンホール用ブロック、水路用ブロック、擁壁用ブロック等、種々のコンクリート製品に適用できることはもちろんである。
【００１６】
【発明の効果】
本発明のレベル調整治具は、コンクリート製品への装着が簡単で、ネジ部分を持たないので維持管理も容易でコストもやすい。レベル調整作業はクサビを叩き込むので、脚を回転させたりコンクリート製品を頻繁に持ち上げる必要もなく能率的で安全である。更に、これを装着したコンクリート製品の運搬やストックに際し、レベル調整治具が台木の機能を果たすことができるので、従来必要だった台木が不要となり、更なる作業能率の向上及びコストダウンが実現できる。
【図面の簡単な説明】
【図１】レベル調整治具１の使用状態の断面説明図である。
【図２】レベル調整治具１の使用状態の説明図である。
【図３】レベル調整治具１の装着の説明図である。
【図４】レベル調整治具１を装着したコンクリート製品Ｃのストック状態の説明図である。
【図５】レベル調整治具１０の斜視図である。
【図６】レベル調整治具２０の斜視図である。
【図７】レベル調整治具３０の斜視図である。
【符号の説明】
１  レベル調整治具
２  埋込部
３  調整部
４  伸縮部
５  開口部
６  クサビ
７  捨コンクリート
１０  レベル調整治具
１１  埋込部
１２  調整部
１３  伸縮部
１４  開口部
２０  レベル調整治具
２１  埋込部
２２  調整部
２３  伸縮部
２４  開口部
２５  底面
３０  レベル調整治具
３１  埋込部
３２  調整部
３３  伸縮部
３４  開口部
３５  スリット
Ｃ  コンクリート製品
Ｋ  型枠
【図１】
0003701729.tif 000002
【図２】
0003701729.tif 000003
【図３】
0003701729.tif 000004
【図４】
0003701729.tif 000005
【図５】
0003701729.tif 000006
【図６】
0003701729.tif 000007
【図７】
0003701729.tif 000008